(57)【要約】【課題】操作部材の不用意な操作による無駄な表示を抑制して省電力を図る。【解決手段】レンズマイコン２０５は、ズームエンコーダ２０３、フォーカスエンコーダ２０４の出力から、設定状態情報（焦点距離情報、被写体距離情報及びズーム倍率）を生成する。レンズマイコン２０５は、フォーカス操作環２１０の今回の操作量が、第１の閾値ＴＨ１よりも大きい場合は、設定状態情報を表示部２０７に表示させる一方、閾値ＴＨ１＜操作量が成立しない場合は、設定状態情報を非表示とする。【選択図】図２
2017181747.tif 000002
【特許請求の範囲】
【請求項１】
レンズ鏡筒であって、
操作部材と、
前記操作部材の操作状態を検出する検出手段と、
前記レンズ鏡筒の設定状態を示す情報を表示することが可能な表示部と、
前記検出手段により検出された前記操作部材の操作状態に基づいて、前記設定状態に関する前記表示部の表示状態を制御する制御手段と、を有することを特徴とするレンズ鏡筒。
【請求項２】
前記制御手段は、前記操作状態を示す値と第１の閾値との比較の結果に基づいて前記表示部の表示状態を制御することを特徴とする請求項１に記載のレンズ鏡筒。
【請求項３】
前記制御手段は、前記操作状態を示す値が前記第１の閾値を超える場合は、前記表示部の表示状態を、前記設定状態を示す情報が前記表示部に表示される第１の表示状態とし、前記操作状態を示す値が前記第１の閾値を超えない場合は、前記表示部の表示状態を、前記設定状態を示す情報が前記表示部に表示されない第２の表示状態とすることを特徴とする請求項２に記載のレンズ鏡筒。
【請求項４】
前記表示部は、照明点灯機能を有し、
前記制御手段は、前記操作状態を示す値が前記第１の閾値を超える場合は、前記表示部の表示状態を、前記設定状態を示す情報が前記表示部に表示されると共に照明が点灯される第１の表示状態とし、前記操作状態を示す値が前記第１の閾値を超えない場合は、前記表示部の表示状態を、前記設定状態を示す情報が前記表示部に表示されると共に照明が消灯される第２の表示状態とすることを特徴とする請求項２に記載のレンズ鏡筒。
【請求項５】
前記制御手段は、前記レンズ鏡筒を接続したカメラ本体における撮影モードが、前記カメラ本体に設けられたカメラ側表示部に情報を表示させて撮影を行うモードである場合は、前記操作部材の操作状態にかかわらず前記表示部の表示状態を前記第２の表示状態とすることを特徴とする請求項３または４に記載のレンズ鏡筒。
【請求項６】
前記制御手段は、オートフォーカスモードにおいて、前記レンズ鏡筒を接続したカメラ本体で撮影準備を指示する操作が行われた後であって露光動作を指示する操作が行われる前の状態で、前記操作部材が第２の閾値を超えて操作された場合は、前記表示部の表示状態を前記第１の表示状態とすることを特徴とする請求項３または４に記載のレンズ鏡筒。
【請求項７】
前記第１の閾値は、フォーカスレンズの位置に応じて決定されることを特徴とする請求項２〜６のいずれか１項に記載のレンズ鏡筒。
【請求項８】
前記操作状態には、前記操作部材の操作量または操作速度の少なくともいずれかが含まれることを特徴とする請求項１〜７のいずれか１項に記載のレンズ鏡筒。
【請求項９】
前記操作部材は、前記設定状態を変化させるための部材であることを特徴とする請求項１〜８のいずれか１項に記載のレンズ鏡筒。
【請求項１０】
前記操作部材は、フォーカス操作環であることを特徴とする請求項９に記載のレンズ鏡筒。
【請求項１１】
前記操作部材は、ズーム操作環であることを特徴とする請求項９に記載のレンズ鏡筒。
【請求項１２】
前記設定状態を示す情報には、フォーカスレンズの位置に基づき生成される被写体距離情報及びズームレンズの位置に基づき生成される焦点距離情報の少なくともいずれかが含まれることを特徴とする請求項１〜１１のいずれか１項に記載のレンズ鏡筒。
【請求項１３】
請求項１〜１２のいずれか１項に記載のレンズ鏡筒を備えることを特徴とする光学機器。
【請求項１４】
光学機器本体とレンズ鏡筒とを有する光学機器であって、
前記レンズ鏡筒は、操作部材と、前記レンズ鏡筒の設定状態を示す情報を表示することが可能な表示部と、を有し、
さらに、前記操作部材の操作状態を検出する検出手段と、
前記検出手段により検出された前記操作部材の操作状態に基づいて、前記設定状態に関する前記表示部の表示状態を制御する制御手段と、を有することを特徴とする光学機器。
【発明の詳細な説明】
【技術分野】
【０００１】
本発明は、レンズ鏡筒の設定状態を表示させる技術に関する。
【背景技術】
【０００２】
従来、カメラ等の光学機器の本体に接続される等の態様で使用されるレンズ鏡筒が知られている。レンズ鏡筒には、その外周に距離目盛や焦点距離目盛が設けられて、レンズの設定状態が一目で確認できるようにされているものがある。一方、特許文献１は、レンズ鏡筒に、電子ペーパ、液晶ディスプレイまたは有機ＥＬディスプレイで成る表示部を設け、レンズの設定状態を電子化して表示部に表示させることで表示品位を向上させている。特許文献２は、合焦状況を表す表示器の表示時間を、焦点調整部の操作信号の入力により延長するカメラを提案している。
【先行技術文献】
【特許文献】
【０００３】
【特許文献１】特開２００７−７２４０７号公報
【特許文献２】特開２００９−１２２５９３号公報
【発明の概要】
【発明が解決しようとする課題】
【０００４】
しかしながら、特許文献１の技術では、ユーザが距離目盛や焦点距離目盛を確認する機会が少ない撮影シーンにおいても設定状態情報が電子表示されるため、消費電力の抑制の観点からは改善の余地がある。また、特許文献２の技術では、ユーザの意図しない焦点調整操作により表示器の点灯時間が延長されてしまう場合があり、消費電力が増加する。なお、フォーカス操作環等の操作部材を操作するとカメラが自動的に起動する仕様を採用した場合、操作部材への不用意な操作によりカメラが起動して設定状態情報が電子表示されると、消費電力が増加する。
【０００５】
本発明の目的は、操作部材の不用意な操作による無駄な表示を抑制して省電力を図ることである。
【課題を解決するための手段】
【０００６】
上記目的を達成するために本発明は、レンズ鏡筒であって、操作部材と、前記操作部材の操作状態を検出する検出手段と、前記レンズ鏡筒の設定状態を示す情報を表示することが可能な表示部と、前記検出手段により検出された前記操作部材の操作状態に基づいて、前記設定状態に関する前記表示部の表示状態を制御する制御手段と、を有することを特徴とする。
【発明の効果】
【０００７】
本発明によれば、操作部材の不用意な操作による無駄な表示を抑制して省電力を図ることができる。
【図面の簡単な説明】
【０００８】
【図１】レンズ鏡筒を含む光学機器の構成を示すブロック図である。
【図２】設定状態情報の表示制御処理のフローチャートである。
【図３】設定状態情報の表示制御処理のフローチャートである（第２の実施の形態）。
【図４】設定状態情報の表示制御処理のフローチャートの一部である（第３の実施の形態）。
【図５】第４の実施の形態における光学機器の構成を示すブロック図である。
【図６】設定状態情報の表示制御処理のフローチャートである。
【発明を実施するための形態】
【０００９】
以下、図面を参照して本発明の実施の形態を説明する。
【００１０】
（第１の実施の形態）
図１は、本発明の第１の実施の形態に係るレンズ鏡筒を含む光学機器の構成を示すブロック図である。この光学機器は、例えば、デジタルスチルカメラまたはビデオカメラ等のカメラシステム１０００として構成される。カメラシステム１０００はレンズ交換式であり、カメラ本体１００と、カメラ本体１００に対して着脱自在なレンズ鏡筒である交換レンズ２００とから成る。
【００１１】
カメラ本体１００内にはカメラマイコン１０３及び撮像素子１０１が設けられる。カメラ本体１００において、カメラ信号処理回路１０２は、撮像素子１０１の出力に対して所定の増幅やガンマ補正等の処理を施す。カメラマイコン１０３は、多数の信号を取り入れて信号処理を行うほか、入力信号に応じて多数の信号を出力し、交換レンズ２００の制御等を実施する。記録部１０４は、カメラマイコン１０３で信号処理された画像信号のほか、記録条件等を記録する。カメラ操作部１０５は、オートフォーカスモード（ＡＦモード）やマニュアルフォーカスモード（ＭＦモード）等のフォーカスモードや、撮影モードを切り替えるために用いられる。
【００１２】
カメラ操作部１０５は、第１スイッチＳＷ１と第２スイッチＳＷ２とを備える。カメラマイコン１０３は、第１スイッチＳＷ１がオンにされると、撮影準備として測光動作・合焦動作（ＡＦモードの場合）を行い、その後に第２スイッチＳＷ２がオンにされると、露光動作へ移行する。スイッチＳＷ１、ＳＷ２は、例えば、レリーズ釦の半押し、全押しの操作によりオンとなる構成である。カメラ側表示部１０６は、カメラ本体１００の設定状態や撮影画像を表示するための電子表示装置であり、電子ペーパ、液晶ディスプレイまたは有機ＥＬディスプレイ等で構成される。
【００１３】
交換レンズ２００はズームレンズであり、レンズマイコン２０５を有する。交換レンズ２００は、変倍動作を行うズームレンズ群２０１と合焦動作を行うフォーカスレンズ群２０２を具備する。ズームエンコーダ２０３は、ズームレンズ群２０１の移動方向（光軸方向）における位置を検出し、ズームレンズ群２０１の位置情報を出力する。フォーカスエンコーダ２０４は、フォーカスレンズ群２０２の移動方向（光軸方向）における位置を検出し、フォーカスレンズ群２０２の位置情報を出力する。レンズマイコン２０５は、ズームエンコーダ２０３、フォーカスエンコーダ２０４によって出力された位置情報から「設定状態情報」を生成する。この設定状態情報には、焦点距離情報、被写体距離情報及びズーム倍率の少なくともいずれかが含まれる。この設定状態情報が、交換レンズ２００におけるフォーカス位置やズーム位置に関する設定状態を示す情報となる。
【００１４】
表示部２０７はレンズ鏡筒外周の視認できる領域に配置されており、電子ペーパ、液晶ディスプレイ、有機ＥＬディスプレイ等で構成されている。表示制御部２０６はレンズマイコン２０５の指令に従って表示部２０７を制御し、設定状態情報等の各種の情報を表示部２０７に表示させる。Ｆ駆動量判別部２０８、Ｚ駆動量判別部２０９は、回転角度、速度や加速度を検出するためのセンサまたは機構（図示せず）を備える検出手段である。Ｆ駆動量判別部２０８は、操作部材であるフォーカス操作環２１０の駆動量（操作量）、駆動速度及び駆動方向を判別する。Ｚ駆動量判別部２０９は、操作部材であるズーム操作環２１１の駆動量（操作量）、駆動速度及び駆動方向を判別する。
【００１５】
フォーカス操作環２１０が操作されると、Ｆ駆動量判別部２０８によりフォーカス操作環２１０の駆動量、駆動速度及び駆動方向が判別・検出され、それらの量がレンズマイコン２０５に出力される。その出力はレンズマイコン２０５によって駆動命令に反映される。例えば、レンズマイコン２０５は、不図示のフォーカスレンズ駆動部を動作させることでフォーカスレンズ群２０２を光軸方向へ進退させる。これにより、Ｆ駆動量判別部２０８の出力に応じて合焦動作が行われる。ズーム操作環２１１が操作されると、Ｚ駆動量判別部２０９によりズーム操作環の駆動量、駆動速度及び駆動方向が判別・検出され、それらの量がレンズマイコン２０５に出力される。その出力はレンズマイコン２０５によって駆動命令に反映される。例えば、レンズマイコン２０５は、不図示のズームレンズ駆動部を動作させることでズームレンズ群２０１を光軸方向へ進退させる。これにより、Ｚ駆動量判別部２０９の出力に応じて変倍動作が行われる。
【００１６】
図２は、設定状態情報の表示制御処理のフローチャートである。レンズマイコン２０５はＣＰＵ、ＲＯＭ、ＲＡＭ等を有する（図示せず）。このフローチャートの処理を実現するためのプログラムはレンズマイコン２０５のＲＯＭに格納されている。図２の処理は、このプログラムをＣＰＵが実行することにより実現される。図２の処理は、カメラシステム１０００の電源がオンにされると開始され、処理終了後においても、操作部材（フォーカス操作環２１０、ズーム操作環２１１）の操作があると再開される。
【００１７】
まず、ステップＳ１０１では、レンズマイコン２０５は、自身が接続されているカメラ本体１００と通信処理を実行し、互いの情報をやりとりする。例えば、レンズマイコン２０５は、焦点距離、開放Ｆ値のほか、電子化された表示部を交換レンズ２００が有しているかどうかを示す情報をカメラマイコン１０３へ送信する。一方、レンズマイコン２０５は、カメラマイコン１０３から、カメラ本体１００のカメラ操作部１０５により設定されたカメラ設定情報を取得する。例えば、レンズマイコン２０５は、カメラ設定情報として、フォーカスモードがＡＦモード、ＭＦモードのいずれに設定されているかを、カメラマイコン１０３を介して取得する。なお、本実施の形態では、ＡＦモードとＭＦモードとを切り替える操作部をカメラ本体１００に設けているが、交換レンズ２００側に設けてもよい。
【００１８】
ステップＳ１０２では、レンズマイコン２０５は、ズームエンコーダ２０３、フォーカスエンコーダ２０４の出力から、設定状態情報を生成する。ステップＳ１０３では、レンズマイコン２０５は、操作部材が駆動されたか否かを判別する。本実施の形態では、操作部材としてフォーカス操作環２１０を例にとる。従って、レンズマイコン２０５は、フォーカス操作環２１０がユーザにより操作された否かを、Ｆ駆動量判別部２０８の出力に基づいて判別する。ステップＳ１０３の判別の結果、レンズマイコン２０５は、フォーカス操作環２１０が駆動操作されない場合は処理をステップＳ１０７に進める一方、フォーカス操作環２１０が駆動操作された場合は、処理をステップＳ１０４に進める。
【００１９】
ステップＳ１０４では、レンズマイコン２０５は、フォーカス操作環２１０の今回の操作量をＦ駆動量判別部２０８の出力から判別する。ここで、「操作量」は、操作状態を示す値であって、例えば、フォーカス操作環２１０の操作回転角度（°）であるとする。しかし光軸方向への移動距離であってもよい。ステップＳ１０５では、レンズマイコン２０５は、フォーカス操作環２１０の操作量が、第１の閾値ＴＨ１よりも大きいか否か（閾値ＴＨ１＜操作量）を判別する。第１の閾値ＴＨ１はレンズマイコン２０５のＲＯＭに予め格納されているかまたは、ユーザからの入力によってＲＡＭに格納されている。そして、閾値ＴＨ１＜操作量が成立する場合は、ステップＳ１０６で、レンズマイコン２０５は、ステップＳ１０２で生成した設定状態情報を表示部２０７に表示させるための指令を表示制御部２０６へ送る。これにより、設定状態情報が表示部２０７に表示される（第１の表示状態）。その後、図２の処理は終了する。
【００２０】
一方、閾値ＴＨ１＜操作量が成立しない場合は、レンズマイコン２０５は、処理をステップＳ１０７に進める。ステップＳ１０７では、レンズマイコン２０５は、ステップＳ１０２で生成した設定状態情報の表示部２０７への表示を表示制御部２０６へ指令しない。従って、設定状態情報は非表示とされる（第２の表示状態）。その後、図２の処理は終了する。レンズマイコン２０５は、本発明における制御手段としての役割を果たす。
【００２１】
ところで、第１の閾値ＴＨ１は、ユーザがマニュアルフォーカス操作を行う際にフォーカス操作環２１０を操作する最低限の回転量を考慮して設定されており、例えば、５°とされる。第１の閾値ＴＨ１の値の設定が小さ過ぎると、持ち運びの際にフォーカス操作環２１０がユーザ自身や障害物等へ接触して僅かに回転した場合でも駆動有りと判別されてしまい、無用な表示動作が増えるからである。ただし、第１の閾値ＴＨ１の値は例示に限定されない。
【００２２】
また、フォーカスレンズ群２０２の被写体距離が至近距離に有る際には被写界深度が浅くなることから、精度の高い合焦動作を行うためにフォーカス操作環２１０の微少な操作が行われる場合もある。そのため、第１の閾値ＴＨ１は、フォーカスレンズ群２０２の位置に応じて動的に決定される構成としてもよい。また、カメラ操作部１０５によって予めマクロ撮影モードが設定されている場合においては、通常の撮影モードと比べ、第１の閾値ＴＨ１を小さい値に設定してもよい。あるいは、第１の閾値ＴＨ１は、操作部材の操作量に関わらず、操作速度や操作加速度に応じて動的に決定してもよい。
【００２３】
このように、設定状態情報は、フォーカス操作環２１０の操作量が第１の閾値ＴＨ１を超える場合は表示されるが、そうでない場合は表示されない。従って、フォーカス操作環２１０を不用意に少し回転させてしまっても、設定状態情報が一律に表示されることが抑制され、消費電力が削減される。
【００２４】
本実施の形態によれば、操作部材の操作状態に基づいて表示部２０７の表示状態が制御されるので、操作部材の不用意な操作による無駄な表示を抑制して省電力を図ることができる。
【００２５】
（第２の実施の形態）
本発明の第２の実施の形態では、第１の実施の形態に対し、設定状態情報の表示制御処理が異なる。従って、図２に代えて図３を用いて第２の実施の形態を説明する。ユーザは、カメラ操作部１０５を操作して撮影モードを切り替えることができる。例えば、ユーザは、撮影モードを静止画モードと動画モードとに切り替えることができる。また、ユーザは、不図示の光学ファインダ撮影モードと、カメラ側表示部１０６を確認しながら撮影を行うライビビュー撮影モードとに、撮影モードを切り替えることができる。
【００２６】
動画撮影モードやライブビュー撮影モード等では、ユーザがカメラ側表示部１０６の表示内容を確認しながら撮影を行うことが通常であるため、交換レンズ２００の表示部２０７を確認する機会は少ないと考えられる。そこで、カメラ側表示部１０６を利用する撮影モードが設定されている場合は、表示部２０７の表示をしないことで消費電力を削減できると考えられる。
【００２７】
図３は、設定状態情報の表示制御処理のフローチャートである。このフローチャートの処理の実現条件、処理の開始や再開の条件は、図２の処理と同様である。まず、レンズマイコン２０５は、ステップＳ２０１では、図２のステップＳ１０１と同様の処理を実行する。次に、ステップＳ２０２では、レンズマイコン２０５は、撮影モード情報を、カメラ本体１００からカメラマイコン１０３を介して取得する。次に、ステップＳ２０３では、レンズマイコン２０５は、撮影モード情報から、設定されている撮影モードが、カメラ側表示部１０６を利用する撮影モード（動画撮影モードまたはライブビュー撮影モード）であるか否かを判別する。その判別の結果、レンズマイコン２０５は、設定されている撮影モードが、カメラ側表示部１０６を利用する撮影モードである場合は、処理をステップＳ２０９に進める。一方、レンズマイコン２０５は、設定されている撮影モードが、カメラ側表示部１０６を利用する撮影モードでない場合は、処理をステップＳ２０４に進める。
【００２８】
レンズマイコン２０５は、ステップＳ２０４〜Ｓ２０８では、図２のステップＳ１０２〜Ｓ１０６と同様の処理を実行する。なお、ステップＳ２０５では、レンズマイコン２０５は、フォーカス操作環２１０が駆動操作されない場合は処理をステップＳ２０９に進める一方、フォーカス操作環２１０が駆動操作された場合は、処理をステップＳ２０６に進める。ステップＳ２０９では、レンズマイコン２０５は、図２のステップＳ１０７と同様の処理を実行する。
【００２９】
従って、ステップＳ２０８では、図２のステップＳ１０６と同様の処理により、設定状態情報が表示部２０７に表示される（第１の表示状態）。一方、ステップＳ２０９では、設定状態情報は非表示とされる（第２の表示状態）。その後、図３の処理は終了する。
【００３０】
本実施の形態によれば、操作部材の不用意な操作による無駄な表示を抑制して省電力を図ることに関し、第１の実施の形態を同様の効果を奏する。それだけでなく、カメラ本体１００における撮影モードが、カメラ側表示部１０６に情報を表示させて撮影を行う撮影モードである場合は、フォーカス操作環２１０の操作状態にかかわらず、設定状態情報が表示部２０７に表示されない。よって、必要性の低い表示を抑制して一層の省電力を図ることができる。
【００３１】
なお、第１、第２の実施の形態において、設定状態情報が表示部２０７に表示される（第１の表示状態）処理が適用されるのは、フォーカスモードがＭＦモードに設定されている場合に限定してもよい。また、操作部材が操作されるとフォーカスモードがＭＦモードに自動的に切り替わる機能を採用してもよい。
【００３２】
（第３の実施の形態）
本発明の第３の実施の形態では、ＡＦモード時においても、第１スイッチＳＷ１がオンにされた後であって第２スイッチＳＷ２がオンにされる前の状態で操作部材が操作されるとフォーカスモードがＭＦモードに自動的に切り替わる機能を有するものとする。第１の実施の形態に対して図４を加えて本実施の形態を説明する。
【００３３】
図４は、設定状態情報の表示制御処理のフローチャートの一部である。このフローチャートは、図２の処理の終了後に開始される。すなわち、ステップＳ１０６またはステップＳ１０７の処理後に、図４の処理が開始される。なお、本実施の形態では、図２の最初の処理開始時点で、ユーザによりフォーカスモードがＡＦモードに設定されているとする。
【００３４】
ステップＳ３０１では、レンズマイコン２０５は、カメラ操作部１０５の第１スイッチＳＷ１がオンにされたか否かを判別し、第１スイッチＳＷ１がオンにされていない場合は、図４の処理を終了させる。一方、第１スイッチＳＷ１がオンにされた場合は、ステップＳ３０２で、レンズマイコン２０５は、撮影準備動作を実行する。具体的には、カメラマイコン１０３は撮影準備のために測光動作を行う。また、カメラマイコン１０３からレンズマイコン２０５を介してフォーカスレンズ駆動部へ駆動命令が伝達されることで、レンズマイコン２０５は、フォーカスレンズ群２０２を光軸方向へ進退させて合焦動作を行う。
【００３５】
ステップＳ３０３では、レンズマイコン２０５は、操作部材が駆動されたか否かを判別する。本実施の形態では、操作部材としてフォーカス操作環２１０を例にとる。従って、レンズマイコン２０５は、フォーカス操作環２１０がユーザにより操作された否かを、Ｆ駆動量判別部２０８の出力に基づいて判別する。ステップＳ３０３の判別の結果、レンズマイコン２０５は、フォーカス操作環２１０が駆動操作されない場合は処理をステップＳ３０８に進める一方、フォーカス操作環２１０が駆動操作された場合は、処理をステップＳ３０４に進める。
【００３６】
ステップＳ３０４では、レンズマイコン２０５は、フォーカスモードをＡＦモードからＭＦモードへ切り替える。レンズマイコン２０５は、フォーカス操作環２１０の今回の操作量をＦ駆動量判別部２０８の出力から判別する。ここで、「操作量」の意義は図２のステップＳ１０４で用いたのと同様である。ステップＳ３０６では、レンズマイコン２０５は、フォーカス操作環２１０の操作量が、第２の閾値ＴＨ２よりも大きいか否か（閾値ＴＨ２＜操作量）を判別する。第２の閾値ＴＨ２はレンズマイコン２０５のＲＯＭに予め格納されているかまたは、ユーザからの入力によってＲＡＭに格納されている。そして、レンズマイコン２０５は、閾値ＴＨ２＜操作量が成立する場合は、処理をステップＳ３０７に進める一方、閾値ＴＨ２＜操作量が成立しない場合は、処理をステップＳ３０８に進める。
【００３７】
ステップＳ３０７では、レンズマイコン２０５は、図２のステップＳ１０６と同様の処理を実行する。これにより、設定状態情報が表示部２０７に表示される（第１の表示状態）。ステップＳ３０８では、レンズマイコン２０５は、図２のステップＳ１０７と同様の処理を実行する。これにより、設定状態情報は非表示とされる（第２の表示状態）。
【００３８】
ステップＳ３０７、Ｓ３０８の後、ステップＳ３０９で、レンズマイコン２０５は、カメラ操作部１０５の第２スイッチＳＷ２がオンにされたか否かを判別し、第２スイッチＳＷ２がオンにされていない場合は、処理をステップＳ３０１に戻す。一方、第２スイッチＳＷ２がオンにされた場合は、ステップＳ３１０で、レンズマイコン２０５及びカメラマイコン１０３が協働して、露光に必要な動作を行う。具体的には、カメラマイコン１０３は、カメラ本体１００に設けられたシャッタ（図示せず）を動作させ、レンズマイコン２０５は、交換レンズ２００に設けられた絞り（図示せず）を動作させる。これにより、撮像素子１０１へ露光される。その後、図４の処理は終了する。
【００３９】
なお、第２の閾値ＴＨ２は、第１の閾値ＴＨ１と同じ値であってもよいが、第１の閾値ＴＨ１より小さい値であることが望ましい。これは、ステップＳ３０６で比較されるフォーカス操作環２１０の操作量は、撮影準備の指示（第１スイッチＳＷ１のオン）が行われた後の操作量であることから、ユーザによる不用意な作動である可能性は低いからである。仮に、ＴＨ１＜ＴＨ２とすると、ユーザがＭＦモードにて精密な合焦動作を行おうとする際に設定状態情報が表示部２０７に非表示となって不都合である。
【００４０】
本実施の形態によれば、操作部材の不用意な操作による無駄な表示を抑制して省電力を図ることに関し、第１の実施の形態を同様の効果を奏する。それだけでなく、ＡＦモードにおいて、撮影準備を指示する操作後であって露光動作を指示する操作前の状態で、フォーカス操作環２１０が第２の閾値ＴＨ２を超えて操作された場合は、設定状態情報が表示部２０７に表示される。これにより、撮影準備指示後、露光動作指示前であっても、精密な合焦動作のために必要と推定される場合には設定状態情報の表示を行える。
【００４１】
なお、本実施の形態を第２の実施の形態に適用する場合は、図４の処理が図３の処理の終了後に開始されるとすればよい。すなわち、ステップＳ２０８またはステップＳ２０９の処理後に、図４の処理が開始される。
【００４２】
（第４の実施の形態）
本発明の第４の実施の形態では、第１の実施の形態に対し、表示部２０７の構成と、設定状態情報の表示制御処理が異なる。従って、図１、図２に代えて図５、図６を用いて第４の実施の形態を説明する。
【００４３】
図５は、第４の実施の形態における光学機器の構成を示すブロック図である。この光学機器であるカメラシステム１０００においては、表示部２０７は照明点灯機能を有する。すなわち、表示部２０７は、主表示部２０７ａのほかに、ライト部２０７ｂを有している。主表示部２０７ａは、ＬＣＤ等で成り、情報を表示する。ライト部２０７ｂは光源部である。なお、ライト部２０７ｂは、主表示部２０７ａに表示された情報を視認しやすくする目的で発光する構成であればよい。従って、ライト部２０７ｂは、主表示部２０７ａに隣接して主表示部２０７ａを表側から照らすＬＥＤ等のフロントライトでもよいし、主表示部２０７ａを背面側から照らすバックライトであってもよい。表示制御部２０６は、レンズマイコン２０５からの指令に従って、表示部２０７の主表示部２０７ａとライト部２０７ｂのそれぞれを制御する。カメラシステム１０００におけるその他の構成は第１の実施の形態と同様である。表示部２０７の消費電力は、主表示部２０７ａが表示状態でもライト部２０７ｂが消灯状態だと低く抑えることが可能である。
【００４４】
図６は、設定状態情報の表示制御処理のフローチャートである。このフローチャートの処理の実現条件、処理の開始や再開の条件は、図２の処理と同様である。まず、ステップＳ４０１、Ｓ４０２では、レンズマイコン２０５は、図２のステップＳ１０１、Ｓ１０２と同様の処理を実行する。ステップＳ４０３では、レンズマイコン２０５は、ステップＳ４０２で生成した設定状態情報を表示部２０７の主表示部２０７ａに表示させるための指令を表示制御部２０６へ送る。これにより、設定状態情報が表示部２０７に表示される。この時点では、ライト部２０７ｂの点灯は行われないが、外光がある環境では、ユーザは主表示部２０７ａに表示されている内容を視認可能である。
【００４５】
ステップＳ４０４〜Ｓ４０６では、レンズマイコン２０５は、図２のステップＳ１０３〜Ｓ１０５と同様の処理を実行する。なお、ステップＳ４０４の判別の結果、レンズマイコン２０５は、フォーカス操作環２１０が駆動操作されない場合は処理をステップＳ４０８に進める。また、レンズマイコン２０５は、ステップＳ４０６の判別の結果、閾値ＴＨ１＜操作量が成立する場合は、処理をステップＳ４０７に進める一方、閾値ＴＨ１＜操作量が成立しない場合は、処理をステップＳ４０８に進める。
【００４６】
ステップＳ４０７では、レンズマイコン２０５は、表示部２０７のライト部２０７ｂを点灯させるための指令をレンズマイコン２０５から表示制御部２０６へ行う。これにより、ライト部２０７ｂが点灯状態となり（第１の表示状態）、主表示部２０７ａの視認性が向上する。その後、図６の処理は終了する。ステップＳ４０８では、レンズマイコン２０５は、表示制御部２０６へライト部２０７ｂの点灯を指令しない。従って、ライト部２０７ｂは消灯状態（第２の表示状態）となる。その後、図６の処理は終了する。
【００４７】
このような制御により、主表示部２０７ａの表示機会を増やすことで利便性を向上させながらも、消費電力の大きいライト部２０７ｂの点灯機会を抑制することで消費電力を削減できる。
【００４８】
本実施の形態によれば、設定状態情報は主表示部２０７ａに表示され、フォーカス操作環２１０が第１の閾値ＴＨ１を超えて操作されるとライト部２０７ｂが点灯される。これにより、操作部材の不用意な操作による無駄な表示（点灯）を抑制して省電力を図ることに関し、第１の実施の形態を同様の効果を奏する。特に、無照明での設定状態の表示により省電力を図りつつ、必要な場合には点灯表示をして視認性を高めることができる。
【００４９】
なお、本実施の形態を第２の実施の形態に適用してもよい。その場合は、図４のフローチャートにおいて、ステップＳ２０４の直後にステップＳ４０３を追加し、さらに、ステップＳ２０８、Ｓ２０９に代えてステップＳ４０７、Ｓ４０８を設ける。また、本実施の形態を第３の実施の形態に適用してもよい。その場合は、図６のフローチャートの終了後に図４のフローチャートが開始されるとし、さらに、図４のステップＳ３０７、Ｓ３０８に代えてステップＳ４０７、Ｓ４０８に相当するステップを設ける。
【００５０】
なお、上記各実施の形態において、操作部材としてフォーカス操作環２１０を例にとって説明したが、ズーム操作環２１１の操作に対して各処理を適用してもよい。例えば、図２のステップＳ１０３、図３のステップＳ２０５、図４のステップＳ３０３、図６のステップＳ４０４では、ズーム操作環２１１の駆動が判別対象とされる。すなわち、レンズマイコン２０５は、ズーム駆動のためにズーム操作環２１１がユーザにより操作された否かを、Ｚ駆動量判別部２０９の出力に基づいて判別する。この場合、第１閾値ＴＨ１の値は、フォーカス操作環２１０の場合と同じ値である必要はない。
【００５１】
なお、操作部材としてフォーカス操作環２１０とズーム操作環２１１の双方を対象としてもよい。この場合、これら双方が操作された場合に、第１閾値ＴＨ１との比較対象となる操作量は、フォーカス操作環２１０とズーム操作環２１１のうち大きな値をとる操作量であるとしてもよい。また、操作部材は、例示したもの以外でもよく、表示対象となる設定状態情報を変化させるための部材であるのが望ましい。
【００５２】
なお、上記各フローチャートにおいて、一部または全部の制御を交換レンズ２００側のレンズマイコン２０５ではなくカメラ本体１００側のカメラマイコン１０３が行う構成としてもよい。
【００５３】
なお、本発明の光学機器は、撮像装置以外であってもよく、レンズ交換タイプの双眼鏡、望遠鏡、フィールドスコープ、プロジェクタ等の投射装置であってもよい。また、レンズ鏡筒である交換レンズ２００は、交換式に限定されず、光学機器本体に内蔵されるものであってもよい。
【００５４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５５】
２００  交換レンズ
２０５  レンズマイコン
２０７  表示部
２０８  Ｆ駆動量判別部
２０９  Ｚ駆動量判別部
２１０  フォーカス操作環
２１１  ズーム操作環
【図１】
2017181747.tif 000003
【図２】
2017181747.tif 000004
【図３】
2017181747.tif 000005
【図４】
2017181747.tif 000006
【図５】
2017181747.tif 000007
【図６】
2017181747.tif 000008